(57)【要約】      （修正有）【課題】複数の容器体を備えて操作性を向上させる化粧料容器を提供する。【解決手段】被収容物が収容される収容部１２１を有し、環状に配置される複数の容器体１２を備える化粧料容器１であって、複数の容器体１２のうちの少なくとも１つの容器体１２の収容部１２１には、被収容物として化粧料が収容されており、複数の容器体１２の各々は、収容部１２１が内側を向く姿勢で回動可能となっており、複数の容器体１２の各々が回動することによって、複数の容器体１２の各々の収容部１２１が化粧料容器１の内部に位置する閉状態と、複数の容器体１２の各々の収容部１２１が露出された開状態との間を遷移するように、複数の容器体１２は開閉可能であり、複数の容器体１２のうちの１つの容器体１２が回動すると、他の容器体１２が連動して回動する、化粧料容器１。【選択図】図７
2020036665.tif 000002
【特許請求の範囲】
【請求項１】
被収容物が収容される収容部を有し、環状に配置される複数の容器体を備える化粧料容器であって、
前記複数の容器体のうちの少なくとも１つの前記容器体の前記収容部には、前記被収容物として化粧料が収容されており、
前記複数の容器体の各々は、前記収容部が内側を向く姿勢で回動可能となっており、
前記複数の容器体の各々が回動することによって、前記複数の容器体の各々の前記収容部が前記化粧料容器の内部に位置する閉状態と、前記複数の容器体の各々の前記収容部が露出された開状態との間を遷移するように、前記複数の容器体は開閉可能であり、
前記複数の容器体のうちの１つの前記容器体が回動すると、他の前記容器体が連動して回動する、化粧料容器。
【請求項２】
前記複数の容器体のうちのいずれの前記容器体が回動しても、他の全ての前記容器体が連動して回動する、請求項１に記載の化粧料容器。
【請求項３】
前記複数の容器体のうちの１つの前記容器体が開く方向に回動する場合及び閉じる方向に回動する場合の双方においても、前記複数の容器体は連動して回動する、請求項１又は２に記載の化粧料容器。
【請求項４】
前記複数の容器体の各々の内側は、いずれの回動姿勢においても、一側に隣り合う前記容器体の外側と部分的に接している、請求項２又は３に記載の化粧料容器。
【請求項５】
前記複数の容器体は、一側に隣り合う前記容器体により外側へ押されることによって連動して開く方向に回動し、他側に隣り合う前記容器体により内側へ押されることによって連動して閉じる方向に回動する、請求項４に記載の化粧料容器。
【請求項６】
前記複数の容器体の各々は、ベースに脱着可能に取り付けられている、請求項１〜５のいずれか一項に記載の化粧料容器。
【請求項７】
前記複数の容器体の各々は、互いに同一の部品であり、
前記複数の容器体は、回転対称に配置されている、請求項１〜６のいずれか一項に記載の化粧料容器。
【発明の詳細な説明】
【技術分野】
【０００１】
本発明は、化粧料容器に関する。
【背景技術】
【０００２】
近年、化粧料を収容する化粧料容器として、複数の容器体を備えるものがある。各容器体には、化粧料等の被収容物が収容される収容部が設けられている。このような化粧料容器では、例えば、特許文献１に開示されているように、複数の容器体は環状に配置されており、各容器体は回動可能となっている。そして、各容器体を回動させることによって、複数の容器体を開閉することができるようになっている。具体的には、ユーザは、このような化粧料容器の開閉を行うことによって、例えば、未使用時には、各容器体の収容部が化粧料容器の内部に位置する閉状態とし、使用時には、各容器体の収容部が露出された開状態とすることができる。
【先行技術文献】
【特許文献】
【０００３】
【特許文献１】実開昭６３−７１８１４号公報
【発明の概要】
【発明が解決しようとする課題】
【０００４】
ところで、化粧料容器の開閉は、一般にユーザにより手動で行われる。ここで、上述した複数の容器体を備える化粧料容器の開閉では、例えば、各容器体を１つずつ回動させる必要が生じていた。ゆえに、化粧料容器の開閉において、容器体の数に応じた手間が生じていた。このような手間は、化粧料容器の操作性を損ねる要因となり得る。
【０００５】
そこで、本発明は、複数の容器体を備える化粧料容器の操作性を向上させることに関する。
【課題を解決するための手段】
【０００６】
上記課題を解決するために、本発明のある観点は、被収容物が収容される収容部を有し、環状に配置される複数の容器体を備える化粧料容器であって、複数の容器体のうちの少なくとも１つの容器体の収容部には、被収容物として化粧料が収容されており、複数の容器体の各々は、収容部が内側を向く姿勢で回動可能となっており、複数の容器体の各々が回動することによって、複数の容器体の各々の収容部が化粧料容器の内部に位置する閉状態と、複数の容器体の各々の収容部が露出された開状態との間を遷移するように、複数の容器体は開閉可能であり、複数の容器体のうちの１つの容器体が回動すると、他の容器体が連動して回動する、化粧料容器に関する。
【発明の効果】
【０００７】
以上説明したように本発明の化粧料容器によれば、複数の容器体を備える化粧料容器の操作性を向上させることができる。
【図面の簡単な説明】
【０００８】
【図１】本発明の第１の実施形態に係る化粧料容器を示す正面図である。
【図２】同実施形態に係る化粧料容器を示す上面図である。
【図３】同実施形態に係る化粧料容器を示す底面図である。
【図４】同実施形態に係るベースを示す斜視図である。
【図５】同実施形態に係る容器体を示す斜視図である。
【図６】図３のＡ−Ａ断面図である。
【図７】同実施形態に係る化粧料容器が開閉される様子を示す斜視図である。
【図８】同実施形態に係る化粧料容器が開閉される様子を示す上面図である。
【図９】同実施形態に係る化粧料容器の開閉の際に互いに隣り合う容器体が回動する様子を示すＡ−Ａ断面図である。
【図１０】本発明の第２の実施形態に係る化粧料容器を示す正面図である。
【図１１】同実施形態に係る化粧料容器を示す上面図である。
【図１２】同実施形態に係る化粧料容器を示す底面図である。
【図１３】同実施形態に係るベースを示す斜視図である。
【図１４】同実施形態に係る容器体を示す斜視図である。
【図１５】同実施形態に係る化粧料容器が開閉される様子を示す斜視図である。
【図１６】同実施形態に係る化粧料容器が開閉される様子を示す上面図である。
【図１７】本発明の第３の実施形態に係る化粧料容器を示す正面図である。
【図１８】同実施形態に係る化粧料容器を示す上面図である。
【図１９】同実施形態に係る化粧料容器を示す底面図である。
【図２０】同実施形態に係るベースを示す斜視図である。
【図２１】同実施形態に係る容器体を示す斜視図である。
【図２２】同実施形態に係る化粧料容器が開閉される様子を示す斜視図である。
【図２３】同実施形態に係る化粧料容器が開閉される様子を示す上面図である。
【発明を実施するための形態】
【０００９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１０】
本発明の実施形態は、化粧料容器に関する。具体的には、本発明の一実施形態としての各実施形態に係る化粧料容器１，２，３は、複数の容器体を備えており、当該複数の容器体のうちの少なくとも１つに被収容物として化粧料が収容されている化粧料容器である。
【００１１】
＜第１の実施形態＞
図１〜図９を参照して、第１の実施形態に係る化粧料容器１について説明する。
【００１２】
［化粧料容器１の構成］
まず、図１〜図６を参照して、第１の実施形態に係る化粧料容器１の構成について説明する。
【００１３】
図１〜図３は、それぞれ化粧料容器１を示す正面図、上面図及び底面図である。なお、本明細書では、化粧料容器１のうちベース１１が配置される部分を底部とし、その逆側の部分を上部として説明するが、化粧料容器１はユーザに利用される際に種々の姿勢を取り得るので、底部と上部とを結ぶ方向は必ずしも鉛直方向を意味するものではない。
【００１４】
図１〜図３に示すように、化粧料容器１は、５つの容器体１２ａ，１２ｂ，１２ｃ，１２ｄ，１２ｅを備える。さらに、化粧料容器１は、ベース１１を備える。なお、以下では、容器体１２ａ，１２ｂ，１２ｃ，１２ｄ，１２ｅをそれぞれ区別しない場合には、単に容器体１２とも呼ぶ。
【００１５】
化粧料容器１では、５つの容器体１２が環状に配置される。具体的には、５つの容器体１２は、ベース１１を中心に環状に配置される。なお、本明細書において、環状は、円環状に限定されず、例えば、楕円環状又は多角形環状等を含む。例えば、図２に示すように、容器体１２ａ，１２ｂ，１２ｃ，１２ｄ，１２ｅが、上面視においてこの順に時計回りに配置される。また、各容器体１２は、後述する収容部１２１が内側を向く姿勢で回動可能となっている。具体的には、各容器体１２は、ベース１１に回動可能に取り付けられる。各容器体１２において、収容部１２１に化粧料等の被収容物が収容される。そして、各容器体１２が回動することによって、各容器体１２の収容部１２１が化粧料容器１の内部に位置する閉状態と、各容器体１２の収容部１２１が露出された開状態との間を遷移するように、５つの容器体１２は開閉可能となっている。なお、図１〜図３では、閉状態の化粧料容器１が示されている。
【００１６】
具体的には、図７及び図８に示すように、各容器体１２が化粧料容器１の外側に向けて倒れるように回動することによって、５つの容器体１２が放射状に開く。一方、各容器体１２が化粧料容器１の内側に向けて起きるように回動することによって、５つの容器体１２が閉じる。なお、閉状態は、具体的には、各容器体１２が閉じる方向に回動しきった状態を意味する。一方、開状態は、具体的には、各容器体１２が開く方向に回動しきった状態を意味する。
【００１７】
ベース１１は、容器体１２が取り付けられる部材である。以下、図４を参照して、ベース１１のより詳細な構成について説明する。図４は、本実施形態に係るベース１１を示す斜視図である。
【００１８】
図４に示すように、ベース１１は、各容器体１２が回動可能に取り付けられる複数の係合部１１１を有する。具体的には、ベース１１は、五角形の平板形状に５つの凹部を形成することにより得られる形状を有し、当該凹部が係合部１１１に相当する。このように、ベース１１は、５つの係合部１１１を有しており、各係合部１１１に各容器体１２がそれぞれ取り付けられる。例えば、ベース１１は、回転対称な形状を有する。
【００１９】
ベース１１の材質としては、例えば、ポリプロピレン（ＰＰ）、ポリエチレンテレフタレート（ＰＥＴ）、アクリロニトリル−ブタジエン−スチレン共重合体（ＡＢＳ樹脂）等の合成樹脂、アルミ、ステンレス等の金属、ガラス、セラミックス、紙等が適用される。
【００２０】
係合部１１１は、例えば、五角形の平板形状における各辺の中央側から上面視において各辺に対して傾いた方向に延びて形成される。例えば、各係合部１１１は、上面視において反時計回り側に隣り合う係合部１１１に近づく方向に延びて形成される。係合部１１１の幅は、後述する容器体１２の基部１２２の外径より大きい。
【００２１】
係合部１１１における互いに対向する一対の側面１１２，１１５には、後述する容器体１２の軸部１２３，１２３が嵌合される嵌合穴１１３，１１６と、溝１１４，１１７とが形成される。具体的には、一方の側面１１２に嵌合穴１１３及び溝１１４が形成され、他方の側面１１５に嵌合穴１１６及び溝１１７が形成される。嵌合穴１１３，１１６は、円筒形状を有し、互いに対向して設けられ、共通する中心軸１５を有する。嵌合穴１１３，１１６の内径は、容器体１２の軸部１２３，１２３の外径より大きい。溝１１４，１１７は、それぞれ嵌合穴１１３，１１６から係合部１１１の延在方向に沿ってベース１１の側面まで延びて形成される。
【００２２】
容器体１２は、化粧料等の被収容物が収容される部材である。５つの容器体１２のうちの少なくとも１つの容器体１２の収容部１２１には、被収容物として化粧料が収容されている。具体的には、容器体１２には、被収容物として、主に、口紅、アイシャドー、チーク、ファンデーション、美容クリーム又は練り香水等の化粧料が収容されるが、他の物品が収容されてもよい。例えば、容器体１２に、被収容物として、鏡又はブラシ等の化粧に利用される物品が収容されてもよい。以下、図５を参照して、容器体１２のより詳細な構成について説明する。図５は、本実施形態に係る容器体１２を示す斜視図である。
【００２３】
図５に示すように、容器体１２は、花弁を模した形状を有し、例えば、各容器体１２は互いに同一の部品である。具体的には、容器体１２は、略涙滴形状を分割して得られる形状を有する。より具体的には、容器体１２は、略涙滴形状をその中心線を通る平面で分割して得られる形状を有する。容器体１２の平面側には、被収容物が収容される収容部１２１が設けられる。収容部１２１は、例えば、容器体１２の平面側に凹設された部分である。なお、容器体１２における収容部１２１の周囲の面は平面に限定されず、曲面であってもよい。その場合、例えば、容器体１２は、略涙滴形状を曲面で分割して得られる形状を有する。
【００２４】
容器体１２の材質としては、例えば、ポリプロピレン（ＰＰ）、ポリエチレンテレフタレート（ＰＥＴ）、アクリロニトリル−ブタジエン−スチレン共重合体（ＡＢＳ樹脂）等の合成樹脂、アルミ、ステンレス等の金属、ガラス、セラミックス、紙等が適用される。
【００２５】
容器体１２の色は、特に限定されず、種々の色をとり得る。また、容器体１２は、透明又は半透明であってもよく、その場合、容器体１２を透過して収容部１２１に収容されている被収容物を視認することができる。
【００２６】
容器体１２における先細りしている先端部に対して逆側の後端部には、基部１２２が突設されている。基部１２２の突出方向に直交し、かつ、収容部１２１の開口に平行な方向における基部１２２の両側には、一対の軸部１２３，１２３が突設されている。軸部１２３，１２３は、同軸上に設けられ、略円柱形状を有する。
【００２７】
化粧料容器１では、各容器体１２の軸部１２３，１２３が、ベース１１の各係合部１１１の嵌合穴１１３，１１６に嵌合される。それにより、容器体１２がベース１１に嵌合穴１１３，１１６の中心軸１５を中心に回動自在に取り付けられる。このように、嵌合穴１１３，１１６の中心軸１５は、容器体１２の回動軸に相当する。また、各容器体１２は、収容部１２１が内側を向く姿勢でベース１１に取り付けられる。
【００２８】
なお、上記では、容器体１２に設けられる軸部１２３，１２３がベース１１に設けられる嵌合穴１１３，１１６に嵌合されることによって、容器体１２がベース１１に回動可能に取り付けられる例を説明したが、容器体１２をベース１１に回動可能に取り付けるための構造はこのような例に限定されない。例えば、軸部１２３の形状は、特に限定されず、種々の形状（例えば、先端に球状の部分を有する形状等）であってもよく、嵌合穴１１３，１１６の形状は、軸部１２３の形状と対応する形状となっていればよい。また、例えば、容器体１２の基部１２２と軸部１２３，１２３とは、別部材によりそれぞれ形成されてもよく、その場合、基部１２２を形成する部材に棒状部材を貫通させることによって、軸部１２３，１２３が形成され得る。また、例えば、ベース１１に軸部が設けられ、容器体１２に当該軸部が嵌合される嵌合穴が設けられてもよい。その場合、ベース１１の軸部が容器体１２の嵌合穴に嵌合されることによって、容器体１２がベース１１に回動可能に取り付けられ得る。
【００２９】
ここで、各容器体１２は、ベース１１に脱着可能に取り付けられていることが好ましい。例えば、化粧料容器１では、容器体１２の軸部１２３，１２３をベース１１の溝１１４，１１７によりガイドさせることによって、各容器体１２をベース１１に対して脱着することができる。それにより、ユーザは、ベース１１に取り付けられる容器体１２を化粧料容器１の用途や好みに応じて適宜変更することによって、例えば、持ち運ぶ化粧料の種類を容易に変更することができる。また、容器体１２の収容部１２１が容器体１２に脱着可能であってもよい。例えば、容器体１２の平面側に設けられる凹部を形成する部材が容器体１２の他の部分と別部材である場合に、当該部材が容器体１２に脱着可能な収容部１２１に相当し得る。その場合、ユーザは、容器体１２に取り付けられるこのような収容部１２１を化粧料容器１の用途や好みに応じて適宜変更することによって、例えば、持ち運ぶ化粧料の種類を容易に変更することができる。
【００３０】
上記のように、ベース１１において５つの係合部１１１が環状に配置されていることによって、５つの容器体１２はベース１１を中心に環状に配置される。また、容器体１２の回動軸に相当する係合部１１１の嵌合穴１１３，１１６の中心軸１５は、図３及び図４に示すように、環状に（具体的には、ベース１１の中心を囲むように）配置されている。それにより、各容器体１２が回動することにより５つの容器体１２が開閉可能となっている。
【００３１】
ここで、各容器体１２の内側は、いずれの回動姿勢においても、一側に隣り合う容器体１２の外側と部分的に接している。換言すると、各容器体１２の外側は、いずれの回動姿勢においても、他側に隣り合う容器体１２の内側と部分的に接している。図６は、図３のＡ−Ａ断面図である。例えば、図６では、容器体１２ａの内側が、上面視において反時計回り側に隣り合う容器体１２ｅの外側と部分的に接している様子が示されている。容器体１２ａと容器体１２ｅとは、例えば、当接領域１９において互いに接している。同様に、図１〜図３では、容器体１２ｂ，１２ｃ，１２ｄ，１２ｅの内側がそれぞれ上面視において反時計回り側に隣り合う容器体１２ａ，１２ｂ，１２ｃ，１２ｄの外側と部分的に接している様子が示されている。なお、各容器体１２に収容されている化粧料等の被収容物には、当該各容器体１２に隣り合う容器体１２は接しないようになっている。
【００３２】
図１〜図３では、閉状態の化粧料容器１が示されているが、化粧料容器１が開状態等の他の姿勢をとる場合においても、各容器体１２の内側は、一側に隣り合う容器体１２の外側と部分的に接している。このような各容器体１２の間の位置関係は、具体的には、各容器体１２の形状及びベース１１における係合部１１１の嵌合穴１１３，１１６の配置等を適切に設定することによって実現される。
【００３３】
また、各容器体１２は互いに同一の部品であり、５つの容器体１２は回転対称に配置されていることが好ましい。例えば、化粧料容器１では、ベース１１の係合部１１１を回転対称に配置することによって、ベース１１を中心に回転対称に５つの容器体１２を配置することが実現される。このように、５つの容器体１２がベース１１を中心に回転対称に配置されることによって、開状態と閉状態とで互いに異なる印象をユーザにより効果的に与え、例えば、開閉する花弁をユーザに効果的に想起させることができる。ゆえに、化粧料容器１を開閉する操作に驚き、楽しさ又は新鮮さ等の情緒的価値をより効果的に付与することができる。
【００３４】
なお、化粧料容器１は、上記で説明した構成要素以外の他の構成要素を追加的に備えてもよい。例えば、化粧料容器１は、音を出力する音出力装置をさらに備えてもよい。その場合、例えば、化粧料容器１が開閉する際に、音出力装置により音が出力されるように構成される。また、例えば、化粧料容器１は、点滅又は点灯して光を発するランプ等の表示装置をさらに備えてもよい。その場合、例えば、化粧料容器１が開閉する際に、ランプが点滅又は点灯されるように構成される。このように音出力装置又は表示装置を利用することによって、化粧料容器１を開閉する操作に情緒的価値をさらに効果的に付与することができる。
【００３５】
また、化粧料容器１は、閉状態において、各容器体１２の位置を固定する固定機構を備えてもよい。例えば、化粧料容器１の閉状態において、互いに接する部材どうしの接触部分に磁石を設けることによって、このような固定機構が実現され得る。
【００３６】
［化粧料容器１の動作］
続いて、図７〜図９を参照して、第１の実施形態に係る化粧料容器１の動作について説明する。
【００３７】
図７及び図８は、それぞれ化粧料容器１が開閉される様子を示す斜視図及び上面図である。図９は、化粧料容器１の開閉の際に互いに隣り合う容器体１２ａ，１２ｅが回動する様子を示すＡ−Ａ断面図である。なお、図７及び図８に示す開状態の化粧料容器１における各容器体１２の姿勢はあくまでも一例であり、開状態において、各容器体１２は、図示した位置よりもさらに開く方向又は閉じる方向に回動した姿勢をとってもよい。
【００３８】
上述したように、化粧料容器１では、各容器体１２が回動することによって、各容器体１２の収容部１２１が化粧料容器１の内部に位置する閉状態と、各容器体１２の収容部１２１が露出された開状態との間を遷移するように、５つの容器体１２は開閉可能となっている。具体的には、図７及び図８に示すように、各容器体１２が閉じる方向に回動しきった閉状態から各容器体１２を開く方向に回動させることによって、化粧料容器１は中間状態を経て開状態となる。中間状態は、各容器体１２が閉じる方向に回動しきっておらず、かつ、開く方向に回動しきってもいない状態である。一方、各容器体１２が開く方向に回動しきった開状態から各容器体１２を閉じる方向に回動させることによって、化粧料容器１は中間状態を経て閉状態となる。
【００３９】
ユーザは、例えば、化粧料容器１を使用する際に、化粧料容器１を閉状態から開状態にする。それにより、各容器体１２の収容部１２１が露出された状態となる。よって、ユーザは、収容部１２１から化粧料等の被収容物を取り出して化粧を行うことができる。そして、ユーザは、化粧料容器１の使用後に、化粧料容器１を開状態から閉状態にする。それにより、各容器体１２の収容部１２１が化粧料容器１の内部に位置する状態となる。よって、収容部１２１に収容される化粧料等の被収容物が化粧料容器１の外部へこぼれること及び化粧料容器１の外部から内部へ異物が混入することが抑制される。
【００４０】
本実施形態では、上述したように、各容器体１２の内側は、いずれの回動姿勢においても、一側に隣り合う容器体１２の外側と部分的に接している。ゆえに、一側に隣り合う容器体１２が開らく場合、各容器体１２は、一側に隣り合う容器体１２により外側へ押される。例えば、図９に示すように、容器体１２ａは、上面視において反時計回り側に隣り合う容器体１２ｅが開く場合、外側を向く力１６を容器体１２ａの内側と接している容器体１２ｅから受ける。それにより、容器体１２ａは、容器体１２ｅにより外側へ押される。同様に、容器体１２ｂ，１２ｃ，１２ｄ，１２ｅは、それぞれ上面視において反時計回り側に隣り合う容器体１２ａ，１２ｂ，１２ｃ，１２ｄにより外側へ押される。よって、５つの容器体１２のうちの１つの容器体１２が開く方向に回動すると、他の全ての容器体１２は、一側に隣り合う容器体１２により外側へ押されることによって連動して開く方向に回動する。この際、５つの容器体１２のうちのいずれの容器体１２が開く方向に回動しても、他の全ての容器体１２が連動して開く方向に回動する。したがって、ユーザは、５つの容器体１２のうちのいずれか１つの容器体１２を開く方向に回動させることによって、全ての容器体１２を開く方向に適切に回動させることができる。
【００４１】
一方、５つの容器体１２が閉じる場合、各容器体１２は、他側に隣り合う容器体１２により内側へ押される。例えば、図９に示すように、容器体１２ｅは、上面視において時計回り側に隣り合う容器体１２ａが閉じる場合、内側を向く力１７を容器体１２ｅの外側と接している容器体１２ａから受ける。それにより、容器体１２ｅは、容器体１２ａにより内側へ押される。同様に、容器体１２ｄ，１２ｃ，１２ｂ，１２ａは、それぞれ上面視において時計回り側に隣り合う容器体１２ｅ，１２ｄ，１２ｃ，１２ｂにより内側へ押される。よって、５つの容器体１２のうちの１つの容器体１２が閉じる方向に回動すると、他の全ての容器体１２は、他側に隣り合う容器体１２により内側へ押されることによって連動して閉じる方向に回動する。この際、５つの容器体１２のうちのいずれの容器体１２が閉じる方向に回動しても、他の全ての容器体１２が連動して閉じる方向に回動する。したがって、ユーザは、５つの容器体１２のうちのいずれか１つの容器体１２を閉じる方向に回動させることによって、全ての容器体１２を閉じる方向に適切に回動させることができる。
【００４２】
上記のように、化粧料容器１では、複数の容器体１２のうちの１つの容器体１２が回動すると、他の容器体１２が連動して回動する。それにより、各容器体１２を１つずつ回動させることなく、化粧料容器１を開閉することができる。ゆえに、化粧料容器１の開閉における手間を低減することができる。よって、複数の容器体１２を備える化粧料容器１の操作性を向上させることができる。さらに、複数の容器体１２が連動して回動することにより開閉することによって、開状態と閉状態とで互いに異なる印象をユーザに与え、例えば、開閉する花弁をユーザに想起させることができる。ゆえに、化粧料容器１を開閉する操作に驚き、楽しさ又は新鮮さ等の情緒的価値を付与することができる。
【００４３】
特に、化粧料容器１では、複数の容器体１２のうちのいずれの容器体１２が回動しても、他の全ての容器体１２が連動して回動する。また、複数の容器体１２のうちの１つの容器体１２が開く方向に回動する場合及び閉じる方向に回動する場合の双方においても、複数の容器体１２は連動して回動する。それにより、化粧料容器１の開閉における手間をより効果的に低減することができる。よって、複数の容器体１２を備える化粧料容器１の操作性をより効果的に向上させることができる。さらに、化粧料容器１を開閉する操作に驚き、楽しさ又は新鮮さ等の情緒的価値をより効果的に付与することができる。
【００４４】
なお、本発明に係る化粧料容器は、複数の容器体のうちの１つの容器体が回動する場合に他の容器体が連動して回動すればよく、各容器体の回動は、上述した化粧料容器１と異なるように連動してもよい。例えば、複数の容器体のうちの特定の容器体が回動した場合にのみ、他の容器体が連動して回動してもよい。また、複数の容器体うちの１つの容器体が開く方向に回動する場合及び閉じる方向に回動する場合のいずれか一方においてのみ、他の容器体が連動して回動してもよい。
【００４５】
＜第２の実施形態＞
図１０〜図１６を参照して、第２の実施形態に係る化粧料容器２について説明する。
【００４６】
［化粧料容器２の構成］
まず、図１０〜図１４を参照して、第２の実施形態に係る化粧料容器２の構成について説明する。
【００４７】
図１０〜図１２は、それぞれ化粧料容器２を示す正面図、上面図及び底面図である。図１３は、本実施形態に係るベース２１を示す斜視図である。図１４は、本実施形態に係る容器体２２を示す斜視図である。なお、本明細書では、化粧料容器１と同様に、化粧料容器２のうちベース２１が配置される部分を底部とし、その逆側の部分を上部として説明するが、化粧料容器２はユーザに利用される際に種々の姿勢を取り得るので、底部と上部とを結ぶ方向は必ずしも鉛直方向を意味するものではない。
【００４８】
化粧料容器２では、上述した化粧料容器１と比較して、主に容器体の数について異なる。図１０〜図１２に示すように、化粧料容器２は、３つの容器体２２ａ，２２ｂ，２２ｃを備える。さらに、化粧料容器２は、ベース２１を備える。なお、以下では、容器体２２ａ，２２ｂ，２２ｃをそれぞれ区別しない場合には、単に容器体２２とも呼ぶ。
【００４９】
化粧料容器２では、３つの容器体２２が環状に配置される。具体的には、３つの容器体２２は、ベース２１を中心に環状に配置される。例えば、図１１に示すように、容器体２２ａ，２２ｂ，２２ｃが、上面視においてこの順に時計回りに配置される。また、各容器体２２は、後述する収容部２２１が内側を向く姿勢で回動可能となっている。具体的には、各容器体２２は、ベース２１に回動可能に取り付けられる。各容器体２２において、収容部２２１に化粧料等の被収容物が収容される。そして、各容器体２２が回動することによって、各容器体２２の収容部２２１が化粧料容器２の内部に位置する閉状態と、各容器体２２の収容部２２１が露出された開状態との間を遷移するように、３つの容器体２２は開閉可能となっている。なお、図１０〜図１２では、閉状態の化粧料容器２が示されている。
【００５０】
ベース２１は、上述した化粧料容器１のベース１１と同様に、容器体２２が取り付けられる部材である。
【００５１】
図１３に示すように、ベース２１は、各容器体２２が回動可能に取り付けられる複数の係合部２１１を有する。具体的には、ベース２１は、六角形の平板形状に３つの凹部を形成することにより得られる形状を有し、当該凹部が係合部２１１に相当する。このように、ベース２１は、３つの係合部２１１を有しており、各係合部２１１に各容器体２２がそれぞれ取り付けられる。例えば、ベース２１は、回転対称な形状を有する。なお、ベース２１の材質としては、上述した化粧料容器１のベース１１と同様の材料が適用され得る。
【００５２】
係合部２１１は、例えば、短辺と長辺とが交互に配置される六角形の平板形状における各長辺の中央側から上面視において各長辺に対して傾いた方向に延びて形成される。例えば、各係合部２１１は、上面視において反時計回り側に隣り合う係合部２１１に近づく方向に延びて形成される。係合部２１１の幅は、後述する容器体２２の基部２２２の外径より大きい。
【００５３】
また、上述した化粧料容器１のベース１１と同様に、係合部２１１における互いに対向する一対の側面２１２，２１５には、容器体２２の軸部２２３，２２３が嵌合される嵌合穴２１３，２１６と、溝２１４，２１７とが形成される。嵌合穴２１３，２１６は、円筒形状を有し、互いに対向して設けられ、共通する中心軸２５を有する。嵌合穴２１３，２１６の内径は、容器体２２の軸部２２３，２２３の外径より大きい。溝２１４，２１７は、それぞれ嵌合穴２１３，２１６から係合部２１１の延在方向に沿ってベース２１の側面まで延びて形成される。
【００５４】
容器体２２は、上述した化粧料容器１の容器体１２と同様に、化粧料等の被収容物が収容される部材である。３つの容器体２２のうちの少なくとも１つの容器体２２の収容部２２１には、被収容物として化粧料が収容されている。
【００５５】
図１４に示すように、容器体２２は、花弁を模した形状であって上述した化粧料容器１の容器体１２と異なる形状を有し、例えば、各容器体２２は互いに同一の部品である。容器体２２の一側には、被収容物が収容される収容部２２１が設けられる。容器体２２の他側の外表面は、上述した化粧料容器１の容器体１２と異なる形状を有し、例えば、複数の円滑な曲面を結合して得られる形状を有する。収容部２２１は、例えば、容器体２２の一側に凹設された部分である。なお、容器体２２における収容部２２１の周囲の面は、上述した化粧料容器１の容器体１２と同様に、平面であってもよく、曲面であってもよい。また、容器体２２の材質としては、上述した化粧料容器１の容器体１２と同様の材料が適用され得る。また、容器体２２の色は、上述した化粧料容器１の容器体１２と同様に、特に限定されない。
【００５６】
また、上述した化粧料容器１の容器体１２と同様に、容器体２２における先細りしている先端部に対して逆側の後端部には、基部２２２が突設されている。基部２２２の突出方向に直交し、かつ、収容部２２１の開口に平行な方向における基部２２２の両側には、一対の軸部２２３，２２３が突設されている。軸部２２３，２２３は、同軸上に設けられ、略円柱形状を有する。
【００５７】
化粧料容器２では、各容器体２２の軸部２２３，２２３が、ベース２１の各係合部２１１の嵌合穴２１３，２１６に嵌合される。それにより、容器体２２がベース２１に嵌合穴２１３，２１６の中心軸２５を中心に回動自在に取り付けられる。このように、嵌合穴２１３，２１６の中心軸２５は、容器体２２の回動軸に相当する。また、各容器体２２は、収容部２２１が内側を向く姿勢でベース２１に取り付けられる。
【００５８】
なお、上述した化粧料容器１と同様に、容器体２２をベース２１に回動可能に取り付けるための構造は上記の例に限定されない。例えば、軸部２２３の形状は、特に限定されず、種々の形状（例えば、先端に球状の部分を有する形状等）であってもよく、嵌合穴２１３，２１６の形状は、軸部２２３の形状と対応する形状となっていればよい。また、例えば、容器体２２の基部２２２と軸部２２３，２２３とは、別部材によりそれぞれ形成されてもよく、その場合、基部２２２を形成する部材に棒状部材を貫通させることによって、軸部２２３，２２３が形成され得る。また、例えば、ベース２１に軸部が設けられ、容器体２２に当該軸部が嵌合される嵌合穴が設けられ、ベース２１の軸部が容器体２２の嵌合穴に嵌合されることによって、容器体２２がベース２１に回動可能に取り付けられてもよい。
【００５９】
ここで、各容器体２２は、上述したように、ベース２１に脱着可能に取り付けられていることが好ましい。例えば、化粧料容器２では、容器体２２の軸部２２３，２２３をベース２１の溝２１４，２１７によりガイドさせることによって、各容器体２２をベース２１に対して脱着することができる。
【００６０】
上記のように、ベース２１において３つの係合部２１１が環状に配置されていることによって、３つの容器体２２はベース２１を中心に環状に配置される。また、容器体２２の回動軸に相当する係合部２１１の嵌合穴２１３，２１６の中心軸２５は、図１２及び図１３に示すように、環状に（具体的には、ベース２１の中心を囲むように）配置されている。それにより、各容器体２２が回動することにより３つの容器体２２が開閉可能となっている。
【００６１】
ここで、各容器体２２の内側は、いずれの回動姿勢においても、一側に隣り合う容器体２２の外側と部分的に接している。換言すると、各容器体２２の外側は、いずれの回動姿勢においても、他側に隣り合う容器体２２の内側と部分的に接している。例えば、図１０〜図１２では、容器体２２ａ，２２ｂ，２２ｃの内側がそれぞれ上面視において時計回り側に隣り合う容器体２２ｂ，２２ｃ，２２ａの外側と部分的に接している様子が示されている。なお、各容器体２２に収容されている化粧料等の被収容物には、当該各容器体２２に隣り合う容器体２２は接しないようになっている。
【００６２】
図１０〜図１２では、閉状態の化粧料容器２が示されているが、化粧料容器２が開状態等の他の姿勢をとる場合においても、各容器体２２の内側は、一側に隣り合う容器体２２の外側と部分的に接している。このような各容器体２２の間の位置関係は、具体的には、各容器体２２の形状及びベース２１における係合部２１１の嵌合穴２１３，２１６の配置等を適切に設定することによって実現される。
【００６３】
また、上述したように、各容器体２２は互いに同一の部品であり、３つの容器体２２は回転対称に配置されていることが好ましい。例えば、化粧料容器２では、ベース２１の係合部２１１を回転対称に配置することによって、ベース２１を中心に回転対称に３つの容器体２２を配置することが実現される。
【００６４】
なお、化粧料容器２は、上述した化粧料容器１と同様に、上記で説明した構成要素以外の他の構成要素（例えば、音出力装置、表示装置又は固定機構等）を追加的に備えてもよい。
【００６５】
上記にて説明した化粧料容器１及び化粧料容器２を比較してもわかるように、本発明に係る化粧料容器において、容器体の数、容器体の形状及びベースの形状は特に限定されない。
【００６６】
例えば、容器体は、果実の一部を模した形状を有していてもよい。また、化粧料容器に設けられる複数の容器体の各々は、互いに同一の部品でなくてもよい。また、ベースの形状は、種々の多角形、円形若しくは楕円形又はそれらを組み合わせた形状の平板形状に係合部としての凹部を形成することにより得られる形状であってもよく、回転対称な形状でなくてもよい。また、係合部の形状は特に限定されず、例えば、ベースに形成される複数の係合部の各々の形状は互いに同一でなくてもよい。また、ベースにおける係合部の配置は特に限定されず、例えば、係合部は回転対称に配置されてもよく、回転対称に配置されなくてもよい。
【００６７】
また、上述したように、各容器体は、ベースに脱着可能に取り付けられ得る。ここで、上述したベース１１とベース２１との間では、形成される係合部の数の差異に起因して、取り付け可能な容器体の数が異なる。例えば、このように取り付け可能な容器体の数が互いに異なる複数のベースを予め用意しておくことによって、容器体をベースから取り外して他のベースに取り付け替えることにより化粧料容器における容器体の数を容易に変更することができる。
【００６８】
［化粧料容器２の動作］
続いて、図１５及び図１６を参照して、第２の実施形態に係る化粧料容器２の動作について説明する。
【００６９】
図１５及び図１６は、それぞれ化粧料容器２が開閉される様子を示す斜視図及び上面図である。なお、図１５及び図１６に示す開状態の化粧料容器２における各容器体２２の姿勢はあくまでも一例であり、開状態において、各容器体２２は、図示した位置よりもさらに開く方向又は閉じる方向に回動した姿勢をとってもよい。
【００７０】
上述したように、化粧料容器２では、各容器体２２が回動することによって、各容器体２２の収容部２２１が化粧料容器２の内部に位置する閉状態と、各容器体２２の収容部２２１が露出された開状態との間を遷移するように、３つの容器体２２は開閉可能となっている。ユーザは、例えば、化粧料容器２を使用する際に、各容器体２２を開く方向に回動させることによって、図１５及び図１６に示すように、化粧料容器２を閉状態から開状態にする。そして、ユーザは、化粧料容器２の使用後に、各容器体２２を閉じる方向に回動させることによって、化粧料容器２を開状態から閉状態にする。
【００７１】
本実施形態では、上述したように、各容器体２２の内側は、いずれの回動姿勢においても、一側に隣り合う容器体２２の外側と部分的に接している。ゆえに、一側に隣り合う容器体２２が開らく場合、各容器体２２は、一側に隣り合う容器体２２により外側へ押される。例えば、容器体２２ａ，２２ｂ，２２ｃは、それぞれ上面視において時計回り側に隣り合う容器体２２ｂ，２２ｃ，２２ａが開く場合、容器体２２ｂ，２２ｃ，２２ａにより外側へ押される。よって、３つの容器体２２のうちの１つの容器体２２が開く方向に回動すると、他の全ての容器体２２は、一側に隣り合う容器体２２により外側へ押されることによって連動して開く方向に回動する。この際、３つの容器体２２のうちのいずれの容器体２２が開く方向に回動しても、他の全ての容器体２２が連動して開く方向に回動する。したがって、ユーザは、３つの容器体２２のうちのいずれか１つの容器体２２を開く方向に回動させることによって、全ての容器体２２を開く方向に適切に回動させることができる。
【００７２】
一方、３つの容器体２２が閉じる場合、各容器体２２は、他側に隣り合う容器体２２により内側へ押される。例えば、容器体２２ｂ，２２ａ，２２ｃは、それぞれ上面視において反時計回り側に隣り合う容器体２２ａ，２２ｃ，２２ｂが閉じる場合、容器体２２ａ，２２ｃ，２２ｂにより内側へ押される。よって、３つの容器体２２のうちの１つの容器体２２が閉じる方向に回動すると、他の全ての容器体２２は、他側に隣り合う容器体２２により内側へ押されることによって連動して閉じる方向に回動する。この際、３つの容器体２２のうちのいずれの容器体２２が閉じる方向に回動しても、他の全ての容器体２２が連動して閉じる方向に回動する。したがって、ユーザは、３つの容器体２２のうちのいずれか１つの容器体２２を閉じる方向に回動させることによって、全ての容器体２２を閉じる方向に適切に回動させることができる。
【００７３】
上記のように、化粧料容器２では、複数の容器体２２のうちの１つの容器体２２が回動すると、他の容器体２２が連動して回動する。特に、化粧料容器２では、複数の容器体２２のうちのいずれの容器体２２が回動しても、他の全ての容器体２２が連動して回動する。また、複数の容器体２２のうちの１つの容器体２２が開く方向に回動する場合及び閉じる方向に回動する場合の双方においても、複数の容器体２２は連動して回動する。ゆえに、化粧料容器２によれば、上述した化粧料容器１と同様の効果を奏することができる。
【００７４】
＜第３の実施形態＞
図１７〜図２３を参照して、第３の実施形態に係る化粧料容器３について説明する。
【００７５】
［化粧料容器３の構成］
まず、図１７〜図２１を参照して、第３の実施形態に係る化粧料容器３の構成について説明する。
【００７６】
図１７〜図１９は、それぞれ化粧料容器３を示す正面図、上面図及び底面図である。図２０は、本実施形態に係るベース３１を示す斜視図である。図２１は、本実施形態に係る容器体３２を示す斜視図である。なお、本明細書では、化粧料容器１と同様に、化粧料容器３のうちベース３１が配置される部分を底部とし、その逆側の部分を上部として説明するが、化粧料容器３はユーザに利用される際に種々の姿勢を取り得るので、底部と上部とを結ぶ方向は必ずしも鉛直方向を意味するものではない。
【００７７】
化粧料容器３では、上述した化粧料容器１と比較して、主に複数の容器体が連動して回動する仕組みについて異なる。図１７〜図１９に示すように、化粧料容器３は、５つの容器体３２ａ，３２ｂ，３２ｃ，３２ｄ，３２ｅを備える。さらに、化粧料容器３は、ベース３１を備える。なお、以下では、容器体３２ａ，３２ｂ，３２ｃ，３２ｄ，３２ｅをそれぞれ区別しない場合には、単に容器体３２とも呼ぶ。
【００７８】
化粧料容器３では、５つの容器体３２が環状に配置される。具体的には、５つの容器体３２は、ベース３１を中心に環状に配置される。例えば、図１８に示すように、容器体３２ａ，３２ｂ，３２ｃ，３２ｄ，３２ｅが、上面視においてこの順に時計回りに配置される。また、各容器体３２は、後述する収容部３２１が内側を向く姿勢で回動可能となっている。具体的には、各容器体３２は、ベース３１に回動可能に取り付けられる。各容器体３２において、収容部３２１に化粧料等の被収容物が収容される。そして、各容器体３２が回動することによって、各容器体３２の収容部３２１が化粧料容器３の内部に位置する閉状態と、各容器体３２の収容部３２１が露出された開状態との間を遷移するように、５つの容器体３２は開閉可能となっている。なお、図１７〜図１９では、閉状態の化粧料容器３が示されている。
【００７９】
ベース３１は、上述した化粧料容器１のベース１１と同様に、容器体３２が取り付けられる部材である。
【００８０】
図２０に示すように、ベース３１は、各容器体３２が回動可能に取り付けられる複数の係合部３１１を有する。具体的には、ベース３１は、円形の平板形状の外周部から放射状に延びる５つの延在部の先端側に当該延在部の延在方向と交差する（具体的には、直交する）溝部をそれぞれ形成することにより得られる形状を有し、当該溝部が係合部３１１に相当する。このように、ベース３１は、５つの係合部３１１を有しており、各係合部３１１に各容器体３２がそれぞれ取り付けられる。例えば、ベース３１は、回転対称な形状を有する。なお、ベース３１の材質としては、上述した化粧料容器１のベース１１と同様の材料が適用され得る。
【００８１】
係合部３１１は、ベース３１の上面に形成されており、例えば、円弧形状の横断面を有する溝部である。係合部３１１の横断面の内径は、例えば、後述する容器体３２の軸部３２２の外径と略一致する。
【００８２】
容器体３２は、上述した化粧料容器１の容器体１２と同様に、化粧料等の被収容物が収容される部材である。５つの容器体３２のうちの少なくとも１つの容器体３２の収容部３２１には、被収容物として化粧料が収容されている。
【００８３】
図２１に示すように、容器体３２は、上述した化粧料容器１の容器体１２と異なる形状を有し、例えば、各容器体３２は互いに同一の部品である。容器体３２には、被収容物が収容される収容部３２１が設けられる。具体的には、容器体３２は、一側に底面を有する中空の四角筒形状のうちの互い対向する一対の側面を他側に先細りするように伸ばし五角形状に変更した形状を有し、当該底面及び当該４つの側面により容器体３２の内側に画成される部分が収容部３２１に相当する。なお、容器体３２の材質としては、上述した化粧料容器１の容器体１２と同様の材料が適用され得る。また、容器体３２の色は、上述した化粧料容器１の容器体１２と同様に、特に限定されない。
【００８４】
また、容器体３２の一方の五角形状の側面と底面との稜部には、当該稜部に沿って軸部３２２が延設されている。軸部３２２は、略円柱形状を有する。軸部３２２の両端部には、ギヤ３２３が設けられている。
【００８５】
化粧料容器３では、各容器体３２の軸部３２２が、ベース３１の各係合部３１１に嵌合され、自転可能に支持される。それにより、容器体３２がベース３１に係合部３１１の中心軸３５を中心に回動自在に取り付けられる。このように、係合部３１１の中心軸３５は、容器体３２の回動軸に相当する。また、各容器体３２は、収容部３２１が内側を向く姿勢でベース３１に取り付けられる。
【００８６】
なお、容器体３２をベース３１に回動可能に取り付けるための構造は上記の例に限定されない。例えば、容器体３２の軸部３２２と軸部３２２以外の部分とは、同一部材によって形成されてもよく、別部材によりそれぞれ形成されてもよい。また、例えば、ベース３１に軸部が設けられ、容器体３２に当該軸部が嵌合される溝部が設けられ、ベース３１の軸部が容器体３２の溝部に嵌合されることによって、容器体３２がベース３１に回動可能に取り付けられてもよい。
【００８７】
ここで、各容器体３２は、上述したように、ベース３１に脱着可能に取り付けられていることが好ましい。例えば、化粧料容器３では、容器体３２の軸部３２２が人の手で取り外すことができる程度の強さでベース３１の係合部３１１に嵌合されるようにすることによって、各容器体３２をベース３１に対して脱着することができる。
【００８８】
上記のように、ベース３１において５つの係合部３１１が環状に配置されていることによって、５つの容器体３２はベース３１を中心に環状に配置される。また、容器体３２の回動軸に相当する係合部３１１の中心軸３５は、図１８〜図２０に示すように、環状に（具体的には、ベース３１の中心を囲むように）配置されている。それにより、各容器体３２が回動することにより５つの容器体３２が開閉可能となっている。
【００８９】
ここで、容器体３２ａ，３２ｂ，３２ｃ，３２ｄ，３２ｅの各軸部３２２は、いずれの回動姿勢においても、ギヤ３２３を介して互いに接続されている。具体的には、各容器体３２の軸部３２２のギヤ３２３と隣り合う容器体３２の軸部３２２のギヤ３２３とが互いに噛合されることによって、容器体３２ａ，３２ｂ，３２ｃ，３２ｄ，３２ｅの各軸部３２２がギヤ３２３を介して互いに接続されている。より具体的には、図１７〜図１９に示すように、各容器体３２の軸部３２２の一側のギヤ３２３が一側に隣り合う容器体２２の軸部３２２のギヤ３２３と噛合されており、各容器体３２の軸部３２２の他側のギヤ３２３が他側に隣り合う容器体２２の軸部３２２のギヤ３２３と噛合されている。
【００９０】
図１７〜図１９では、閉状態の化粧料容器３が示されているが、容器体３２が回動する際に容器体３２の軸部３２２は自転するので、化粧料容器３が開状態等の他の姿勢をとる場合においても、容器体３２ａ，３２ｂ，３２ｃ，３２ｄ，３２ｅの各軸部３２２はギヤ３２３を介して互いに接続されている。このような各容器体３２の間のギヤ３２３を介した接続は、具体的には、各容器体３２の形状及びベース３１における係合部３１１の配置等を適切に設定することによって実現される。
【００９１】
また、上述したように、各容器体３２は互いに同一の部品であり、５つの容器体３２は回転対称に配置されていることが好ましい。例えば、化粧料容器３では、ベース３１の係合部３１１を回転対称に配置することによって、ベース３１を中心に回転対称に５つの容器体３２を配置することが実現される。
【００９２】
なお、化粧料容器３は、上述した化粧料容器１と同様に、上記で説明した構成要素以外の他の構成要素（例えば、音出力装置、表示装置又は固定機構等）を追加的に備えてもよい。
【００９３】
［化粧料容器３の動作］
続いて、図２２及び図２３を参照して、第３の実施形態に係る化粧料容器３の動作について説明する。
【００９４】
図２２及び図２３は、それぞれ化粧料容器３が開閉される様子を示す斜視図及び上面図である。なお、図２２及び図２３に示す開状態の化粧料容器３における各容器体３２の姿勢はあくまでも一例であり、開状態において、各容器体３２は、図示した位置よりもさらに開く方向又は閉じる方向に回動した姿勢をとってもよい。
【００９５】
上述したように、化粧料容器３では、各容器体３２が回動することによって、各容器体３２の収容部３２１が化粧料容器３の内部に位置する閉状態と、各容器体３２の収容部３２１が露出された開状態との間を遷移するように、５つの容器体３２は開閉可能となっている。ユーザは、例えば、化粧料容器３を使用する際に、各容器体３２を開く方向に回動させることによって、図２２及び図２３に示すように、化粧料容器３を閉状態から開状態にする。そして、ユーザは、化粧料容器３の使用後に、各容器体３２を閉じる方向に回動させることによって、化粧料容器３を開状態から閉状態にする。
【００９６】
本実施形態では、上述したように、容器体３２ａ，３２ｂ，３２ｃ，３２ｄ，３２ｅの各軸部３２２は、いずれの回動姿勢においても、ギヤ３２３を介して互いに接続されている。ゆえに、５つの容器体３２のうちの１つの容器体３２が開らく場合、他の全ての容器体３２には、各容器体３２を開く方向に回動させる動力がギヤ３２３を介して伝達される。よって、５つの容器体３２のうちの１つの容器体３２が開く方向に回動すると、他の全ての容器体３２は、連動して開く方向に回動する。この際、５つの容器体３２のうちのいずれの容器体３２が開く方向に回動しても、他の全ての容器体３２が連動して開く方向に回動する。したがって、ユーザは、５つの容器体３２のうちのいずれか１つの容器体３２を開く方向に回動させることによって、全ての容器体３２を開く方向に適切に回動させることができる。
【００９７】
一方、５つの容器体３２のうちの１つの容器体３２が閉じる場合、他の全ての容器体３２には、各容器体３２を閉じる方向に回動させる動力がギヤ３２３を介して伝達される。よって、５つの容器体３２のうちの１つの容器体３２が閉じる方向に回動すると、他の全ての容器体３２は、連動して閉じる方向に回動する。この際、５つの容器体３２のうちのいずれの容器体３２が閉じる方向に回動しても、他の全ての容器体３２が連動して閉じる方向に回動する。したがって、ユーザは、５つの容器体３２のうちのいずれか１つの容器体３２を閉じる方向に回動させることによって、全ての容器体３２を閉じる方向に適切に回動させることができる。
【００９８】
上記のように、化粧料容器３では、複数の容器体３２のうちの１つの容器体３２が回動すると、他の容器体３２が連動して回動する。特に、化粧料容器３では、複数の容器体３２のうちのいずれの容器体３２が回動しても、他の全ての容器体３２が連動して回動する。また、複数の容器体３２のうちの１つの容器体３２が開く方向に回動する場合及び閉じる方向に回動する場合の双方においても、複数の容器体３２は連動して回動する。ゆえに、化粧料容器３によれば、上述した化粧料容器１と同様の効果を奏することができる。
【００９９】
上記にて説明した化粧料容器１及び化粧料容器３を比較してもわかるように、本発明に係る化粧料容器において、複数の容器体が連動して回動する仕組みは特に限定されない。
【０１００】
なお、上記では、化粧料容器３において、各容器体３２が互いに同一の部品である例を説明したが、各容器体３２は互いに同一の部品でなくてもよい。例えば、５つの容器体３２のうちの互いに隣り合う一対の容器体３２の各々の構成から一方のギヤ３２３が省略されてもよい。その場合、当該一対の容器体３２のうちの一方の容器体３２の軸部３２２における他方の容器体３２側の端部のギヤ３２３が省略され、当該一対の容器体３２の間では、ギヤ３２３を介した接続は行われなくてもよい。このような場合であっても、容器体３２ａ，３２ｂ，３２ｃ，３２ｄ，３２ｅの各軸部３２２を、いずれの回動姿勢においても、ギヤ３２３を介して互いに接続させることができる。なお、５つの容器体３２のうちの１つの容器体３２の構成からのみ一方のギヤ３２３が省略されてもよい。このような場合であっても、容器体３２ａ，３２ｂ，３２ｃ，３２ｄ，３２ｅの各軸部３２２を、いずれの回動姿勢においても、ギヤ３２３を介して互いに接続させることができる。
【０１０１】
以上、添付図面を参照しながら本発明の好適な実施形態について詳細に説明したが、本発明は係る例に限定されない。本発明の属する技術の分野における通常の知識を有する者であれば、特許請求の範囲に記載された技術的思想の範疇内において、各種の変更例又は応用例に想到し得ることは明らかであり、これらについても、当然に本発明の技術的範囲に属するものと了解される。
【符号の説明】
【０１０２】
１，２，３  化粧料容器
１１，２１，３１  ベース
１２，２２，３２  容器体
１１２，１１５，２１２，２１５  側面
１１３，１１６，２１３，２１６  嵌合穴
１１４，１１７，２１４，２１７  溝
１２１，２２１，３２１  収容部
１２２，２２２  基部
１２３，２２３，３２２  軸部
３２３  ギヤ
【図１】
2020036665.tif 000003
【図２】
2020036665.tif 000004
【図３】
2020036665.tif 000005
【図４】
2020036665.tif 000006
【図５】
2020036665.tif 000007
【図６】
2020036665.tif 000008
【図７】
2020036665.tif 000009
【図８】
2020036665.tif 000010
【図９】
2020036665.tif 000011
【図１０】
2020036665.tif 000012
【図１１】
2020036665.tif 000013
【図１２】
2020036665.tif 000014
【図１３】
2020036665.tif 000015
【図１４】
2020036665.tif 000016
【図１５】
2020036665.tif 000017
【図１６】
2020036665.tif 000018
【図１７】
2020036665.tif 000019
【図１８】
2020036665.tif 000020
【図１９】
2020036665.tif 000021
【図２０】
2020036665.tif 000022
【図２１】
2020036665.tif 000023
【図２２】
2020036665.tif 000024
【図２３】
2020036665.tif 000025